(57)【要約】      （修正有）【課題】寒冷地における農業用地熱暖房装置を提供する。【解決手段】ニクロム線内蔵パネルプラス配線２とニクロム線内蔵パネルマイナス配線３からなるニクロム線内蔵の銅板かアルミニューム板金属パネル１を陶器(全体を囲んだ農業用地盤暖房電気パネル。【選択図】図１
2014008062.tif 000002
【特許請求の範囲】
【請求項１】
本先知的財産は寒冷地の地熱を、ニクロム線内蔵の銅板又はアルミニューム板を、電気熱金属板を、使用してニクロム線以上の電気熱熱伝導装置にするために、ニクロム線を金属板に入れた農業用地熱暖房電気パネル装置。
【請求項２】
本先知的所有財産は、寒冷地の地盤を暖めるために、ニクロム線内蔵の金属で電気熱金属板とし更に陶器で外周を、囲んで地中劣化から、農業用地熱暖房電気パネル装置を、劣化保護した電気熱パネル陶器装置。
【請求項３】
本先知的所有財産は、ニクロム線内蔵の金属平板を、使用してこれを陶器で囲んだ装置で有り、形的には長い長方形又は長い円錐形の形として四カ所に吊り具を取り付けるための吊り金具穴を設けた農業用地熱暖房電気パネル装置。
【請求項４】
本先知的所有財産の、2012年12月25日の追加発明の農業用地熱暖房電気パネル装置のテングステン金属入りのニクロム線筒装置内蔵のセラミック陶器を、軽く擦る為に木材灰入りのセラミック陶器を、使用した農業用地熱暖房電気パネル装置。
【発明の詳細な説明】
【技術分野】
【０００１】
本先知的所有財産発明は、農業用地熱暖房電気パネル装置に関する将来的の冷害対策分野の説明。2008年5月2日PM20時40分美馬牛
【背景技術】
【０００２】
従来の冬季ハウス暖房として、灯油ヒーター又はジェット灯油ヒーターなどがある。
【０００３】
以下図1と図2により従来の農業用暖房装置を説明する。
図1に於いてこの図は、電気熱ニクロム金属パネル(1)であるが、従来の農業用装置を適応比較すると農業用ジェットヒーターと同じ役割機能を、果たす役割装置であり、図1ではプラス配線とマイナス配線が、取り付けられて入る電気パネル装置。
図2に於いてこの図は、電気熱ニクロム金属パネル(1)であるが、長方形型でも5メートルほどのニクロム線内蔵金属パネル(1)に対して電気配線(2,3,)が、取り付けられ更に農業用地盤暖房電気パネル陶器装置(6)は、地盤に埋めて使用するが、今までの農業用暖房装置は、決まった大きさのハウスでなければ暖房効果が、なかった。
尚、農業用地盤暖房装置(1)は、金属劣化を防ぐためにすべて陶器加工されて入る装置であり、尚且つ農業用地盤暖房パネル陶器電気配線補助取り付け口(5)は、システム故障又は事故対応のための装置であり、農業機械のブラオ及びローターリーなどによって、間違って電気配線を、切った場合の別の電気配線取り付け口を、あらかじめ容易した装置。
更に重量的には、かなり重くなるので、農業用地盤暖房電気パネル陶器装置吊り金具(7)を容易した装置であるが、従来の灯油ジェットヒーターは、劣化摩耗し灯油代が、農業経営を圧迫して更に広い面積の地盤暖房は、連続エネルギー使用としのエネルギー代としのコスト高で不可能だった。(例えば、特開文献32,34 ,36 ,参照。)。 
【先行技術文献】
【特許文献】
【０００４】
【特許文献１】特開2012―236606号
【０００５】
【特許文献２】特開2012―236605号
【０００６】
【特許文献３】特開2012―210703号
【０００７】
【特許文献４】特開2012―187001号
【０００８】
【特許文献５】特開2012―187001号
【０００９】
【特許文献６】特開2012―166951号
【００１０】
【特許文献７】特開2012―140584号
【００１１】
【特許文献８】特開2012―120440号
【００１２】
【特許文献９】特開2012―116727号
【００１３】
【特許文献１０】特開2012―108140号
【００１４】
【特許文献１１】特開2012―101790号
【００１５】
【特許文献１２】特開2012―099506号
【００１６】
【特許文献１３】特開2012―097559号
【００１７】
【特許文献１４】特開2012―097558号
【００１８】
【特許文献１５】特開2012―094548号
【００１９】
【特許文献１６】特開2012―077607号
【００２０】
【特許文献１７】特開2012―056558号
【００２１】
【特許文献１８】特開2012―052788号
【００２２】
【特許文献１９】特開2012―011211号
【００２３】
【特許文献２０】特開2011―233228号
【００２４】
【特許文献２１】特開2011―215148号
【００２５】
【特許文献２２】特開2011―209290号
【００２６】
【特許文献２３】特開2011―205895号
【００２７】
【特許文献２４】特開2011―205675号
【００２８】
【特許文献２５】特開2011―202498号
【００２９】
【特許文献２６】特開2011―155267号
【００３０】
【特許文献２７】特開2011―105307号
【００３１】
【特許文献２８】特開2011―064060号
【００３２】
【特許文献２９】特開2011―060294号
【００３３】
【特許文献３０】特開2010―171943号
【００３４】
【特許文献３１】特開2010―165355号
【００３５】
【特許文献３２】特開2006―254697号
【００３６】
【特許文献３３】特開2004―304993号
【００３７】
【特許文献３４】特開2004―304992号
【００３８】
【特許文献３５】特開2004―135480号
【００３９】
【特許文献３６】特開2003―328925号
【００４０】
【特許文献３７】登録実用新案第3168043号
【００４１】
【特許文献３８】登録実用新案第3145963号
【００４２】
【特許文献３９】登録実用新案第3114491号
【発明の概要】
【発明が解決しようとする課題】
【００４３】
以上述べた従来の農業用地盤暖房装置では、電気熱暖房は、行ってなかった。
2008年5月3日(土)AM10時00分美馬牛市街地自宅にて書き始めるニャン
【００４４】
ビニールハウス抜きの地盤暖房は、行っていなかった。  
【００４５】
今までの地盤暖房は、ビニールハウスの灯油暖房が主なため、灯油がなくなった場合又は灯油の値上がりには対応出来なかった。
【００４６】
本先知的所有財産は、このような従来の構成が、有していた問題を解決しようとするものであり、特開2003ー328925及び2004ー304992及び2006ー254697の装置を使用する事でより効果的な省エネルギー地盤暖房の実現することを目的とするものである。
【課題を解決するための手段】
【００４７】
そして本先知的財産の先発明は、上記目的を達成するために、永遠に劣化しない装置の構築を目指す事であり説明を始める。
従って農業用地盤暖房電気パネル装置は、ニクロム線だけでは、温熱効果が少ないため、電気熱が、一番早く伝わる銅板を使用するか、ただし銅板では、土の中では、錆びるため、陶器で囲う事になる。
アルミニュームも、当初は、錆びづらいと考えたが、ジュース官などの腐食から、あまり好ましくない、絶対にアルミニュームが、錆びなければ、アルミニュームにニクロム線内蔵の方法でも良い。
【００４８】
電気配線は地中部分に銅線の上にゴム質次にグラスフアイバー素材を被せて最後に薄いアルミニューム素材を被せる。
2008年5月3日AM10時53分に追加発明ただし先に誰かが発明していた場合塩化ビニールを、使用する事も有る。
【００４９】農業用地盤暖房電気パネルは、吊り金具取り付け専用の四カ所の吊り金具取り付け場所を設けた農業用地盤暖房電気パネル装置は、吊り荷による人災事故をあらかじめ防ごうとした吊り金具工夫である。前書き特許表示特許法第187条の現状公開事実に対しての先知的所有財産確認方法理由   特許法第一条に基づく先発明先考案の保護の重大性の国民の目の確認農業用地熱暖房電気パネルの名称説明地熱暖房電気パネルとは、ニクロム線を、内蔵した電気の伝わり易い金属しからば銅板などの中にニクロム線を入れたこの場合アルミニューム使用の場合は、剥き出し状態で使用する場合もあるが、電気熱で、寒冷地の地盤を人口的に電気熱で、暖める装置。（公序良俗違反につき、不掲載）
【発明の効果】
【００５０】
上述したように本先知的財産は、1000年を越えても劣化しない農業用地盤暖房電気パネルによって、未来の寒冷地農業は、広い面積の雪の中でも行える省エネルギー農業が、当たり前の時代が、既に用意されている。
【００５１】
先知的所有財産の他の使用の効果として2008年の石油高は、庶民の生活を圧迫して入る事実であるが先知的所有財産の全世界の同一財産有無の確認に対して全世界の商品に対して知的財産番号の書き込み義務を、決めてもらうように考えています。
一日も早い日本の国の全額借金返済と都道府県市町村の全額借金返済を、一日も早く済ませて未来農業に貢献の意志を示す事は、食料不足に対応した考え方とする。
【００５２】
農業用地盤暖房電気パネルは、騒音なしでもできる地盤暖房装置である。
【図面の簡単な説明】
【００５３】    【図１】ニクロム線内蔵金属パネル装置及び配線正面図。    【図２】農業用地盤暖房パネル装置正面図。（公序良俗違反につき、不掲載）（公序良俗違反につき、不掲載）    【図５】2004年8月21日稚内市富岡町で、書いたニクロム線内蔵金属板の利用方法の一例を示した補助説明図。    【図６】2OO4年8月21日稚内市富岡町で書いたニクロム線内蔵の金属板パネルの利用の有り方の一例を示した補助説明図。    【図７】2004年8月20日稚内市富岡町で書いたニクロム線内蔵の金属板パネルの利用の有り方の一例を示した補助説明図。（公序良俗違反につき、不掲載）
【発明を実施するための形態】
【００５４】
以下本先知的所有財産先発明の試作実施の形態を図1から図2に基づいて説明する。
【００５５】
図1に於いては、1はニクロム線内蔵金属パネルであって、ニクロム線内蔵金属(1)を暖めるための電気配線すなわち、ニクロム線内蔵パネルプラス配線(2)とニクロム線内蔵パネルマイナス配線(3)の構造から成り立つニクロム線内蔵金属パネル(1)の裸の金属パネルの姿である。
【００５６】
図2に於いては、実際に農業用地盤暖房電気パネルの大体の外形の姿つまり、長い長方形の姿とは、輸送出来る長さが最良だと言える。
従って、ニクロム線内蔵金属パネル(1)は、銅板かアルミニューム板としている。問題は金属の地中劣化対策として、陶器(6)で、全体を囲んで地中劣化を防いだ装置であり、電気配線切れ事故にあらかじめ対処した農業用地盤暖房パネル陶器電気配線補助取り付け口(5)は、将来つまり間違って電気配線が、故障になった場合の簡単な修理対処をあらかじめ行ってある装置。          
更に、永遠劣化しない農業用地盤暖房電気パネル陶器装置吊り金具(7)の装置。  
【符号の説明】
【００５７】
1 ニクロム線内蔵金属パネル(ニクロム線内蔵銅版パネル及びアルミニュームパネル) 
2 ニクロム線内蔵金属パネルプラス配線
3 ニクロム線内蔵金属パネルマイナス配線
4 農業用地盤暖房電気パネル陶器電気配線取り付け口          
5 農業用地盤暖房電気パネル陶器電気配線補助取り付け口
6 農業用地盤暖房電気パネル陶器装置
7 農業用地盤暖房電気パネル陶器装置吊り金具
【図１】
2014008062.tif 000003
【図２】
2014008062.tif 000004
【図３】
2014008062.tif 000005
【図４】
2014008062.tif 000006
【図５】
2014008062.tif 000007
【図６】
2014008062.tif 000008
【図７】
2014008062.tif 000009
【図８】
2014008062.tif 000010
【図９】
2014008062.tif 000011
【図１０】
2014008062.tif 000012
【図１１】
2014008062.tif 000013
【図１２】
2014008062.tif 000014
【図１３】
2014008062.tif 000015